(57)【要約】【課題】画像の切り替えを容易に行うことが可能な画像表示装置、画像表示システム及び画像表示装置の制御方法を提供する。【解決手段】表示画像ＩＭ１ａを表示する第１のコンピューター１ａ、及び表示画像ＩＭ１ｂを表示する第２のコンピューター１ｂの双方と無線で接続し、第１のコンピューター１ａ及び第２のコンピューター１ｂの少なくとも一方から、画像情報と、指示位置の座標情報とを受信する無線通信部と、受信した画像情報に基づいて、表示画像ＩＭ１ａ及び表示画像ＩＭ１ｂの少なくとも一方を表示する画像投写部と、受信した座標情報に基づいて、画像投写部が表示する画像を、表示画像ＩＭ１ａから表示画像ＩＭ１ｂに切り替える制御部と、を備える。【選択図】図１
2019029742.tif 000002
【特許請求の範囲】
【請求項１】
第１の画像を表示する第１の端末装置、及び第２の画像を表示する第２の端末装置の双方と無線で接続し、前記第１の端末装置及び前記第２の端末装置の少なくとも一方から、画像情報と、指示位置の座標情報とを受信する無線通信部と、
前記無線通信部で受信した前記画像情報に基づいて、前記第１の画像及び前記第２の画像の少なくとも一方を表示する表示部と、
前記無線通信部で受信した前記座標情報に基づいて、前記表示部が表示する画像を、前記第１の画像から前記第２の画像を含む画像に切り替える制御部と、
を備えることを特徴とする画像表示装置。
【請求項２】
請求項１に記載の画像表示装置であって、
前記制御部は、前記無線通信部で受信した前記座標情報に基づいて、前記表示部が表示する画像を前記第１の画像から前記第２の画像に切り替えることを特徴とする画像表示装置。
【請求項３】
請求項１又は２に記載の画像表示装置であって、
前記制御部は、前記表示部が表示する画像を前記第１の画像から前記第２の画像を含む画像に切り替える際に、前記第１の端末装置に前記画像情報の送信を停止させることを特徴とする画像表示装置。
【請求項４】
請求項１に記載の画像表示装置であって、
前記制御部は、前記無線通信部で受信した前記座標情報に基づいて、前記表示部が表示する画像を、前記第１の画像から、前記第１の画像及び前記第２の画像を含む第３の画像に切り替えることを特徴とする画像表示装置。
【請求項５】
請求項１〜４のいずれか一項に記載の画像表示装置であって、
前記制御部は、前記表示部が表示する画像を前記第１の画像から前記第２の画像を含む画像に切り替える際に、前記第２の端末装置に前記画像情報の送信を開始させることを特徴とする画像表示装置。
【請求項６】
請求項１〜５のいずれか一項に記載の画像表示装置であって、
前記制御部は、前記無線通信部で受信した前記座標情報に基づく指示位置が所定の範囲内である場合に、前記表示部が表示する画像を切り替えることを特徴とする画像表示装置。
【請求項７】
請求項６に記載の画像表示装置であって、
前記制御部は、前記無線通信部で受信した前記座標情報に基づく指示位置が前記所定の範囲内に位置してから所定の時間が経過した場合に、前記表示部が表示する画像を切り替えることを特徴とする画像表示装置。
【請求項８】
請求項６又は７に記載の画像表示装置であって、
前記制御部は、前記無線通信部が前記第１の端末装置から前記第１の画像に対応する画像情報と前記座標情報とを受信している場合に、前記第１の画像のサイズに基づいて、前記所定の範囲のサイズを調整することを特徴とする画像表示装置。
【請求項９】
請求項１〜５のいずれか一項に記載の画像表示装置であって、
前記制御部は、前記無線通信部で受信した前記座標情報に基づく指示位置が、予め設定された複数の範囲に所定の順序で位置した場合に、前記表示部が表示する画像を切り替えることを特徴とする画像表示装置。
【請求項１０】
請求項１〜５のいずれか一項に記載の画像表示装置であって、
前記制御部は、前記無線通信部で受信した前記座標情報に基づく指示位置の軌跡が所定の図形である場合に、前記表示部が表示する画像を切り替えることを特徴とする画像表示装置。
【請求項１１】
請求項１〜１０のいずれか一項に記載の画像表示装置であって、
前記制御部は、前記無線通信部で受信した前記座標情報に基づいて、前記表示部が表示する画像を選択するための選択画面を前記表示部に表示させることを特徴とする画像表示装置。
【請求項１２】
第１の画像を表示する第１の端末装置と、第２の画像を表示する第２の端末装置と、画像表示装置と、を備える画像表示システムであって、
前記画像表示装置は、
前記第１の端末装置及び前記第２の端末装置の双方と無線で接続し、前記第１の端末装置及び前記第２の端末装置の少なくとも一方から、画像情報と、指示位置の座標情報とを受信する無線通信部と、
前記無線通信部で受信した前記画像情報に基づいて、前記第１の画像及び前記第２の画像の少なくとも一方を表示する表示部と、
前記無線通信部で受信した前記座標情報に基づいて、前記表示部が表示する画像を、前記第１の画像から前記第２の画像を含む画像に切り替える制御部と、
を備えることを特徴とする画像表示システム。
【請求項１３】
第１の画像を表示する第１の端末装置、及び第２の画像を表示する第２の端末装置の双方と無線で接続し、前記第１の端末装置及び前記第２の端末装置の少なくとも一方から、画像情報と、指示位置の座標情報とを受信し、
受信した前記画像情報に基づいて、前記第１の画像及び前記第２の画像の少なくとも一方を表示部に表示し、
受信した前記座標情報に基づいて、前記表示部が表示する画像を、前記第１の画像から前記第２の画像を含む画像に切り替える、
ことを特徴とする画像表示装置の制御方法。
【発明の詳細な説明】
【技術分野】
【０００１】
本発明は、無線で接続された端末装置から送信される画像を表示する画像表示装置、画像表示システム及び画像表示装置の制御方法に関する。
【背景技術】
【０００２】
端末装置（情報処理装置）と画像表示装置（表示制御装置）とを含むシステムにおいて、端末装置に表示される画像を、無線通信で画像表示装置に転送して表示させる技術が提案されている（例えば、特許文献１参照）。
【先行技術文献】
【特許文献】
【０００３】
【特許文献１】特開２０１６−９０２３号公報
【発明の概要】
【発明が解決しようとする課題】
【０００４】
上記のような画像表示装置において、接続中の端末装置とは別の端末装置に表示されている画像を表示させるためには、接続する端末装置を切り替える必要がある。具体的には、それまで接続されていた端末装置に替えて、他の端末装置との間で新たに無線接続をやり直す処理が必要となる。このため、端末装置の切り替えに手間や時間を要してしまい、ユーザーの利便性が損なわれていた。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置は、第１の画像を表示する第１の端末装置、及び第２の画像を表示する第２の端末装置の双方と無線で接続し、前記第１の端末装置及び前記第２の端末装置の少なくとも一方から、画像情報と、指示位置の座標情報とを受信する無線通信部と、前記無線通信部で受信した前記画像情報に基づいて、前記第１の画像及び前記第２の画像の少なくとも一方を表示する表示部と、前記無線通信部で受信した前記座標情報に基づいて、前記表示部が表示する画像を、前記第１の画像から前記第２の画像を含む画像に切り替える制御部と、を備えることを特徴とする。
【０００７】
この画像表示装置によれば、無線通信部は、第１の端末装置及び第２の端末装置の双方と無線で接続し、これらの端末装置の少なくとも一方から、画像情報と、指示位置の座標情報とを受信する。そして、制御部は、受信した座標情報に基づいて、表示部が表示する画像を切り替えるため、画像の切り替えを容易に行うことが可能となる。さらに、画像表示装置は、画像の切り替えの際には、既に第１の端末装置及び第２の端末装置の双方と無線で接続されているため、切り替えの際に新たな端末装置に接続し直す場合に比べて、切り替えに要する時間を短縮することが可能となり、ユーザーの利便性が向上する。
【０００８】
［適用例２］上記適用例に係る画像表示装置において、前記制御部は、前記無線通信部で受信した前記座標情報に基づいて、前記表示部が表示する画像を前記第１の画像から前記第２の画像に切り替えることが望ましい。
【０００９】
この画像表示装置によれば、第１の画像から第２の画像への切り替えを容易に行うことが可能となる。
【００１０】
［適用例３］上記適用例に係る画像表示装置において、前記制御部は、前記表示部が表示する画像を前記第１の画像から前記第２の画像を含む画像に切り替える際に、前記第１の端末装置に前記画像情報の送信を停止させることが望ましい。
【００１１】
この画像表示装置によれば、制御部は、画像の切り替えに際して、第１の端末装置からの画像情報の送信を停止させるため、不要な通信を抑制することが可能となる。
【００１２】
［適用例４］上記適用例に係る画像表示装置において、前記制御部は、前記無線通信部で受信した前記座標情報に基づいて、前記表示部が表示する画像を、前記第１の画像から、前記第１の画像及び前記第２の画像を含む第３の画像に切り替えるようにしてもよい。
【００１３】
この画像表示装置によれば、第１の画像のみを表示する状態から、第１の画像及び第２の画像の双方を含む第３の画像を表示する状態への切り替えを容易に行うことが可能となる。
【００１４】
［適用例５］上記適用例に係る画像表示装置において、前記制御部は、前記表示部が表示する画像を前記第１の画像から前記第２の画像を含む画像に切り替える際に、前記第２の端末装置に前記画像情報の送信を開始させることが望ましい。
【００１５】
この画像表示装置によれば、制御部は、画像を切り替えるまでは、第２の端末装置からの画像情報の送信を停止させておくことができるため、不要な通信を抑制することが可能となる。
【００１６】
［適用例６］上記適用例に係る画像表示装置において、前記制御部は、前記無線通信部で受信した前記座標情報に基づく指示位置が所定の範囲内である場合に、前記表示部が表示する画像を切り替えることが望ましい。
【００１７】
この画像表示装置によれば、指示位置を所定の範囲内に位置させるだけで容易に画像を切り替えることが可能となる。
【００１８】
［適用例７］上記適用例に係る画像表示装置において、前記制御部は、前記無線通信部で受信した前記座標情報に基づく指示位置が前記所定の範囲内に位置してから所定の時間が経過した場合に、前記表示部が表示する画像を切り替えることが望ましい。
【００１９】
この画像表示装置によれば、制御部は、指示位置が所定の範囲内に位置してから所定の時間が経過した場合に画像を切り替えるため、誤操作等によって意図せずに画像が切り替わってしまうことを抑制することが可能となる。
【００２０】
［適用例８］上記適用例に係る画像表示装置において、前記制御部は、前記無線通信部が前記第１の端末装置から前記第１の画像に対応する画像情報と前記座標情報とを受信している場合に、前記第１の画像のサイズに基づいて、前記所定の範囲のサイズを調整することが望ましい。
【００２１】
この画像表示装置によれば、制御部は、第１の画像のサイズに基づいて所定の範囲のサイズを調整するため、所定の範囲のサイズを、第１の画像のサイズに応じた適切なサイズにすることが可能となる。
【００２２】
［適用例９］上記適用例に係る画像表示装置において、前記制御部は、前記無線通信部で受信した前記座標情報に基づく指示位置が、予め設定された複数の範囲に所定の順序で位置した場合に、前記表示部が表示する画像を切り替えるようにしてもよい。
【００２３】
この画像表示装置によれば、制御部は、指示位置が複数の範囲に所定の順序で位置した場合に画像を切り替えるため、誤操作等によって意図せずに画像が切り替わってしまうことを抑制することが可能となる。
【００２４】
［適用例１０］上記適用例に係る画像表示装置において、前記制御部は、前記無線通信部で受信した前記座標情報に基づく指示位置の軌跡が所定の図形である場合に、前記表示部が表示する画像を切り替えるようにしてもよい。
【００２５】
この画像表示装置によれば、制御部は、指示位置の軌跡が所定の図形である場合に画像を切り替えるため、誤操作等によって意図せずに画像が切り替わってしまうことを抑制することが可能となる。
【００２６】
［適用例１１］上記適用例に係る画像表示装置において、前記制御部は、前記無線通信部で受信した前記座標情報に基づいて、前記表示部が表示する画像を選択するための選択画面を前記表示部に表示させるようにしてもよい。
【００２７】
この画像表示装置によれば、制御部が、画像を選択するための選択画面を表示部に表示させるため、所望の画像への切り替えが容易になる。
【００２８】
［適用例１２］本適用例に係る画像表示システムは、第１の画像を表示する第１の端末装置と、第２の画像を表示する第２の端末装置と、画像表示装置と、を備える画像表示システムであって、前記画像表示装置は、前記第１の端末装置及び前記第２の端末装置の双方と無線で接続し、前記第１の端末装置及び前記第２の端末装置の少なくとも一方から、画像情報と、指示位置の座標情報とを受信する無線通信部と、前記無線通信部で受信した前記画像情報に基づいて、前記第１の画像及び前記第２の画像の少なくとも一方を表示する表示部と、前記無線通信部で受信した前記座標情報に基づいて、前記表示部が表示する画像を、前記第１の画像から前記第２の画像を含む画像に切り替える制御部と、を備えることを特徴とする。
【００２９】
この画像表示システムによれば、画像表示装置の無線通信部は、第１の端末装置及び第２の端末装置の双方と無線で接続し、これらの端末装置の少なくとも一方から、画像情報と、指示位置の座標情報とを受信する。そして、画像表示装置の制御部は、受信した座標情報に基づいて、表示部が表示する画像を切り替えるため、画像の切り替えを容易に行うことが可能となる。さらに、画像表示装置は、第１の端末装置及び第２の端末装置の双方と予め無線で接続されているため、切り替えの際に新たな端末装置に接続し直す場合に比べて、切り替えに要する時間を短縮することが可能となり、ユーザーの利便性が向上する。
【００３０】
［適用例１３］本適用例に係る画像表示装置の制御方法は、第１の画像を表示する第１の端末装置、及び第２の画像を表示する第２の端末装置の双方と無線で接続し、前記第１の端末装置及び前記第２の端末装置の少なくとも一方から、画像情報と、指示位置の座標情報とを受信し、受信した前記画像情報に基づいて、前記第１の画像及び前記第２の画像の少なくとも一方を表示部に表示し、受信した前記座標情報に基づいて、前記表示部が表示する画像を、前記第１の画像から前記第２の画像を含む画像に切り替える、ことを特徴とする。
【００３１】
この画像表示装置の制御方法によれば、画像表示装置は、第１の端末装置及び第２の端末装置の双方と無線で接続し、これらの端末装置の少なくとも一方から、画像情報と、指示位置の座標情報とを受信する。そして、画像表示装置は、受信した座標情報に基づいて、表示部が表示する画像を切り替えるため、画像の切り替えを容易に行うことが可能となる。さらに、画像表示装置は、第１の端末装置及び第２の端末装置の双方と予め無線で接続されているため、切り替えの際に新たな端末装置に接続し直す場合に比べて、切り替えに要する時間を短縮することが可能となり、ユーザーの利便性が向上する。
【図面の簡単な説明】
【００３２】
【図１】画像表示システムを示す説明図。
【図２】コンピューターの概略構成を示すブロック図。
【図３】プロジェクターの概略構成を示すブロック図。
【図４】コンピューターのミラーリングを行う際のプロジェクターの動作を説明するためのフローチャート。
【図５】コンピューターのミラーリングを行う際のプロジェクターの動作を説明するためのフローチャート。
【図６】選択画面を示す図。
【図７】ポインターが複数の検出範囲間を移動する様子を示す説明図。
【図８】ポインターが所定の軌跡を描くように移動する様子を示す説明図。
【図９Ａ】プロジェクターが第１のコンピューターの表示画像のみを表示する状態を示す図。
【図９Ｂ】プロジェクターが第１のコンピューターの表示画像と第２のコンピューターの表示画像の両方を表示する状態を示す図。
【図９Ｃ】プロジェクターが第２のコンピューターの表示画像のみを表示する状態を示す図。
【発明を実施するための形態】
【００３３】
以下、本実施形態の画像表示システム１００について、図面を参照して説明する。
図１は、本実施形態の画像表示システム１００を示す説明図である。
図１に示すように、画像表示システム１００は、端末装置としての２台のコンピューター１（第１のコンピューター１ａ及び第２のコンピューター１ｂとも呼ぶ。）と、画像表示装置としてのプロジェクター２とを備えている。２台のコンピューター１は、例えば、ノート型のパーソナルコンピューターであり、画像を表示する表示部１２、入力装置であるキーボード１６、及びポインティングデバイスであるタッチパッド１７を一体的に備えて構成されている。また、コンピューター１には、外付けのポインティングデバイスであるマウス１８も接続されている。プロジェクター２は、少なくとも一方のコンピューター１から画像情報の供給を受けて、この画像情報に応じた画像をスクリーンＳＣや壁面等の被投写物（以降、単にスクリーンＳＣとも呼ぶ。）に投写する。コンピューター１とプロジェクター２とは、無線ＬＡＮ（Local Area Network）によって接続されており、コンピューター１からプロジェクター２に画像情報等が無線で供給される。
【００３４】
本実施形態では、コンピューター１及びプロジェクター２は、Ｍｉｒａｃａｓｔ（登録商標）に対応している。Ｍｉｒａｃａｓｔは、Ｐ２Ｐ（Peer to Peer）型の無線接続を可能にするＷｉ−Ｆｉ  Ｄｉｒｅｃｔ（登録商標）を通信路として、画像や音声等のデータストリームを伝送する通信規格である。Ｍｉｒａｃａｓｔにおけるデータストリームの伝送プロトコルとしては、ＵＤＰ（User Datagram Protocol）上で動作するＲＴＰ（Real time Transport Protocol）が用いられ、伝送を制御するプロトコルとしては、ＴＣＰ（Transmission Control Protocol）上で動作するＲＴＳＰ（Real Time Streaming Protocol）が用いられる。このＭｉｒａｃａｓｔによってコンピューター１からプロジェクター２に画像を伝送することにより、コンピューター１の表示部１２に表示される画像をプロジェクター２でも表示することが可能となる。このように、他の装置が表示している画像と同じ画像を表示することは、「ミラーリング」と呼ばれる。つまり、プロジェクター２がＭｉｒａｃａｓｔによって一方のコンピューター１のミラーリングを行うと、プロジェクター２が投写する画像（表示画像ＩＭ２）は、このコンピューター１の表示部１２に表示される画像（表示画像ＩＭ１）と同じになる。なお、Ｍｉｒａｃａｓｔによって通信を行う装置のうち、画像を送信する側の装置（例えば、コンピューター１）は、「ソース」とも呼ばれ、画像を受信して表示する側の装置（例えば、プロジェクター２）は、「シンク」とも呼ばれる。
【００３５】
図２は、コンピューター１の概略構成を示すブロック図である。なお、２台のコンピューター１は、共通の構成であるため、一方のコンピューター１（第２のコンピューター１ｂ）の構成については図示を省略する。
図２に示すように、コンピューター１は、制御部１０と、記憶部１１と、表示部１２と、表示制御部１３と、画像音声処理部１４と、無線通信部１５と、キーボード１６と、タッチパッド１７とを含んで構成されている。このうち、記憶部１１、表示制御部１３、画像音声処理部１４、無線通信部１５、キーボード１６、及びタッチパッド１７は、制御部１０に接続されている。また、制御部１０には、外付けのポインティングデバイスであるマウス１８が接続されている。
【００３６】
制御部１０は、１つ又は複数のプロセッサー、ＲＡＭ（Random Access Memory）、及びＲＯＭ（Read Only Memory）等を含んで構成される。制御部１０は、ＲＯＭに記憶されたプログラム、又は記憶部１１からＲＡＭに読み出されたプログラムに従って動作することにより、コンピューター１の動作を統括制御する。
【００３７】
記憶部１１は、ハードディスクドライブ又はソリッドステートドライブ等の記憶装置を備えて構成される。記憶部１１は、インストールされたＯＳ（Operating System）、アプリケーションプログラム及び各種データ等を記憶する。本実施形態の記憶部１１には、ＯＳとしてＷｉｎｄｏｗｓ（登録商標）１０がインストールされており、制御部１０は、Ｗｉｎｄｏｗｓ１０、及びそれに対応するアプリケーションプログラムに従った制御を行う。
【００３８】
表示部１２は、液晶ディスプレイや有機ＥＬ（Electro Luminescence）ディスプレイ等の表示装置を備えて構成され、画像情報に基づく画像を表示する。
【００３９】
表示制御部１３は、１つ又は複数のプロセッサー等によって構成され、制御部１０の制御に基づいて、表示部１２による画像の表示を制御する。表示制御部１３は、図示しないＶＲＡＭ（Video RAM）に接続されており、制御部１０の制御に基づいて、ＯＳやアプリケーションプログラム、各種データ等に応じた画像情報をＶＲＡＭに記憶することにより、画像情報に基づく画像を表示部１２に表示させる。なお、表示制御部１３は、ＡＳＩＣ（Application Specific Integrated Circuit）やＦＰＧＡ（Field Programmable Gate Array）等の専用の処理装置によって構成されてもよい。
【００４０】
画像音声処理部１４は、制御部１０の制御に基づいて、Ｍｉｒａｃａｓｔで送信する画像及び音声に対して所定の処理を行う。具体的には、画像音声処理部１４は、表示部１２の表示画像ＩＭ１に対応する画像情報を表示制御部１３から取得し、Ｍｉｒａｃａｓｔで使用される動画符号化規格であるＨ．２６４に従って画像情報をエンコード（圧縮）する。また、画像音声処理部１４は、画像に付随する音声に対応する音声情報を、Ｍｉｒａｃａｓｔで使用される音声符号化規格であるＬＰＣＭ、ＡＡＣ、又はＡＣ３でエンコードする。画像音声処理部１４は、処理後の画像情報及び音声情報を、無線通信部１５を介してプロジェクター２に送信する。なお、画像音声処理部１４は、１つ又は複数のプロセッサー等によって構成されてもよいし、ＡＳＩＣやＦＰＧＡ等の専用の処理装置によって構成されてもよい。
【００４１】
無線通信部１５は、無線ＬＡＮによって通信を行う無線ＬＡＮデバイスを備えて構成され、制御部１０の制御に基づいて、プロジェクター２等の外部の装置と無線で通信を行う。Ｍｉｒａｃａｓｔによるミラーリングを行う場合、無線通信部１５は、制御部１０の制御に基づいて、シンクであるプロジェクター２とＭｉｒａｃａｓｔ接続を行い、ＲＴＰによりプロジェクター２に画像情報及び音声情報を送信する。また、無線通信部１５は、ＲＴＳＰによってプロジェクター２から制御情報（メッセージ）を受信した場合には、受信した制御情報を制御部１０に出力する。
【００４２】
キーボード１６は、キー操作によって文字や制御コード等の入力を受け付ける入力装置である。タッチパッド１７及びマウス１８は、表示画像ＩＭ１上の位置を指示するポインターＰＴ１の移動操作やクリック操作、ドラッグ操作等の入力操作を受け付けるポインティングデバイスである。キーボード１６、タッチパッド１７、及びマウス１８は、ユーザーによってなされた操作に基づく操作信号を制御部１０に伝達する。なお、ポインティングデバイスとしてタッチパッド１７を用いる場合には、マウス１８を接続する必要はない。また、ポインティングデバイスとしてマウス１８を用いる場合には、タッチパッド１７を使用する必要はない。
【００４３】
コンピューター１のＯＳであるＷｉｎｄｏｗｓ１０は、Ｍｉｒａｃａｓｔによる画像情報及び音声情報の送信に伴って、ポインティングデバイス（タッチパッド１７又はマウス１８）によって指示される指示位置の座標情報、即ちポインターＰＴ１の座標情報を、シンクであるプロジェクター２に繰り返し送信する機能（Hardware Cursor Extension）を有する。この機能は、シンクが表示するポインターＰＴ２についてはシンクに描画させることによって、ポインターＰＴ２の表示が画像伝送に伴って遅延してしまうことを抑制するために設けられている。コンピューター１とプロジェクター２の双方がこの機能に対応している場合、コンピューター１は、ポインターＰＴ１を含まない画像情報を送信しつつポインターＰＴ１の座標情報を送信し、プロジェクター２は、受信した画像情報に基づく画像上の、受信した座標情報に基づく位置にポインターＰＴ２を描画する。なお、座標情報とは、表示画像ＩＭ１における指示位置、即ちポインターＰＴ１の位置（座標）を示す情報であり、例えば、表示画像ＩＭ１の左上の角を原点として、横方向（Ｘ方向）の座標及び縦方向（Ｙ方向）の座標をピクセル単位で表した情報である。
【００４４】
制御部１０は、無線通信部１５を介して座標情報をプロジェクター２に送信する。このとき、制御部１０は、ＵＤＰを用いて、画像情報及び音声情報とは異なるデータストリームとして座標情報を送信する。なお、制御部１０は、ポインターＰＴ１の座標情報とともに、ポインターＰＴ１の形態情報を送信することも可能である。形態情報は、例えば、ポインターＰＴ１の形状や色等を表す画像データである。これにより、プロジェクター２は、コンピューター１の表示部１２に表示される様々な形態のポインターＰＴ１を、自身が表示する表示画像ＩＭ２上にポインターＰＴ２として再現することができるとともに、時間の経過とともに形態が変化するようなポインターＰＴ１についても再現することができる。
【００４５】
次に、プロジェクター２の構成について説明する。
図３は、プロジェクター２の概略構成を示すブロック図である。
図３に示すように、プロジェクター２は、制御部２０と、記憶部２１と、入力操作部２２と、無線通信部２３と、画像音声処理部２４と、画像投写部２５と、音声出力部２６とを含んで構成されている。このうち、記憶部２１、入力操作部２２、無線通信部２３、及び画像音声処理部２４は、制御部２０に接続されている。
【００４６】
制御部２０は、１つ又は複数のプロセッサーを備えて構成され、記憶部２１に記憶されている制御プログラムに従って動作することによりプロジェクター２の動作を統括制御する。
【００４７】
記憶部２１は、揮発性のメモリーであるＲＡＭと、不揮発性のメモリーであるＲＯＭ等を備えて構成される。ＲＡＭは、各種データ等の一時記憶に用いられ、ＲＯＭは、プロジェクター２の動作を制御するための制御プログラムや制御データ等を記憶する。また、本実施形態の記憶部２１は、プロジェクター２がコンピューター１等のソースとＭｉｒａｃａｓｔ接続を行う場合に利用される接続ソースリスト２１ａを記憶している。接続ソースリスト２１ａには、接続中のソースを識別可能な識別情報（例えば、装置の名称やＩＰアドレス等）が登録されて記憶される。また、プロジェクター２が複数のソースと接続している場合、接続ソースリスト２１ａには、接続中の複数のソースの識別情報が、接続順が分かるように記憶される。
【００４８】
入力操作部２２は、ユーザーがプロジェクター２に対して各種指示を行うための複数の操作キーを備えている。入力操作部２２が備える操作キーとしては、電源のオンとオフとを切り替えるための「電源キー」、各種設定を行うための設定メニューを表示させる「メニューキー」、設定メニューの項目を選択するための「方向キー」等がある。ユーザーが入力操作部２２の各種操作キーを操作すると、入力操作部２２は、ユーザーの操作内容に応じた操作信号を制御部２０に出力する。なお、遠隔操作が可能なリモコン（図示せず）を、入力操作部２２として用いる構成としてもよい。この場合、リモコンは、ユーザーの操作内容に応じた赤外線の操作信号を発信し、図示しないリモコン信号受信部がこれを受信して制御部２０に伝達する。
【００４９】
無線通信部２３は、無線ＬＡＮによって通信を行う無線ＬＡＮデバイスを備えて構成され、制御部２０の制御に基づいて、コンピューター１等の外部の装置と無線で通信を行う。上述したように、プロジェクター２は、Ｍｉｒａｃａｓｔに対応しており、コンピューター１が表示する表示画像ＩＭ１をプロジェクター２で表示するミラーリングを行うことができる。この場合、無線通信部２３は、制御部２０の制御に基づいてコンピューター１とＭｉｒａｃａｓｔ接続を行い、コンピューター１から画像情報、音声情報、及び座標情報を受信する。無線通信部２３は、受信した画像情報及び音声情報を画像音声処理部２４に出力し、受信した座標情報を制御部２０に出力する。また、無線通信部２３は、制御部２０の制御に基づいて、ＲＴＳＰによりコンピューター１等のソースに制御情報（メッセージ）を送信することができる。
【００５０】
画像音声処理部２４は、Ｍｉｒａｃａｓｔで送信された画像情報及び音声情報をデコードするとともに、制御部２０の制御に基づいて、デコードした画像情報及び音声情報に対して調整処理等の各種処理を施す。画像音声処理部２４が画像情報に施す処理としては、画質を調整する処理や、コンピューター１から入力された座標情報に基づく位置にポインターＰＴ２を重畳する処理、或いは必要に応じてメニュー画像等を重畳する処理等がある。また、画像音声処理部２４が音声情報に施す処理としては、音質や音量を調整する処理等がある。画像音声処理部２４は、処理後の画像情報を画像投写部２５に出力し、処理後の音声情報を音声出力部２６に出力する。なお、画像音声処理部２４は、１つ又は複数のプロセッサー等によって構成されてもよいし、ＡＳＩＣやＦＰＧＡ等の専用の処理装置によって構成されてもよい。
【００５１】
画像投写部２５は、光源３１、光変調装置としての３つの液晶ライトバルブ３２Ｒ，３２Ｇ，３２Ｂ、投写光学系としての投写レンズ３３、ライトバルブ駆動部３４等で構成されている。画像投写部２５は、表示部に相当するものであり、光源３１から射出された光を、液晶ライトバルブ３２Ｒ，３２Ｇ，３２Ｂで変調して画像光を形成し、この画像光を投写レンズ３３から投写してスクリーンＳＣに画像を表示する。
【００５２】
光源３１は、超高圧水銀ランプやメタルハライドランプ等の放電型の光源ランプ、又は発光ダイオードや半導体レーザー等の固体光源を含んで構成されている。光源３１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ３２Ｒ，３２Ｇ，３２Ｂに入射する。
【００５３】
液晶ライトバルブ３２Ｒ，３２Ｇ，３２Ｂは、それぞれ一対の透明基板間に液晶が封入された透過型の液晶パネル（図示せず）等によって構成される。各液晶パネルには、マトリクス状に配列された複数の画素が形成されており、液晶に対して画素毎に駆動電圧を印加可能になっている。
【００５４】
ライトバルブ駆動部３４は、画像音声処理部２４から入力される画像情報に応じた駆動電圧を各画素に印加し、各画素を画像情報に応じた光透過率に設定する。光源３１から射出された光は、この液晶ライトバルブ３２Ｒ，３２Ｇ，３２Ｂを透過することによって変調され、画像情報に応じた画像光が色光毎に形成される。形成された各色の画像光は、図示しない色合成光学系によって画素毎に合成されてカラー画像を表す画像光となり、投写レンズ３３によってスクリーンＳＣに拡大投写される。この結果、スクリーンＳＣ上には、コンピューター１から送信された画像情報に基づく画像、即ちコンピューター１の表示部１２に表示されている表示画像ＩＭ１と同じ画像が表示画像ＩＭ２として表示される（図１参照）。
【００５５】
音声出力部２６は、スピーカー等を備えて構成され、画像音声処理部２４から入力された音声情報に基づく音声を出力する。
【００５６】
次に、画像表示システム１００の動作について説明する。
図４及び図５は、コンピューター１のミラーリングを行う際のプロジェクター２の動作（制御方法）を説明するためのフローチャートである。
ユーザーがプロジェクター２の入力操作部２２を操作してミラーリングの開始を指示すると、プロジェクター２の制御部２０は、ミラーリングを行うための制御プログラムに従った動作を開始する。なお、これ以降、ソースであるコンピューター１からプロジェクター２に送信される画像情報、音声情報及び座標情報をまとめて「画像情報等」とも表記する。
【００５７】
図４に示すように、ステップＳ１０１では、制御部２０は、Ｗｉ−Ｆｉ  ＤｉｒｅｃｔのＡｕｔｏｎｏｍｏｕｓ  ＧＯ（Group Owner）機能を有効にする。Ｍｉｒａｃａｓｔの通信路となるＷｉ−Ｆｉ  Ｄｉｒｅｃｔでは、複数の装置のうち１つがＧＯとなり、他の装置はＧＣ（Group Client）となる。ＧＯは、無線ＬＡＮのアクセスポイントの機能をソフトウェアで実現することにより、ＧＯとＧＣとの直接接続を可能とする。通常、複数の装置のいずれがＧＯとなるかについては、装置間のネゴシエーションを経て決定されるが、プロジェクター２がＡｕｔｏｎｏｍｏｕｓ  ＧＯ機能を有効にした場合には、ネゴシエーションを経ずにプロジェクター２がＧＯに決定される。つまり、本実施形態では、シンクであるプロジェクター２がＧＯとなり、ソースであるコンピューター１がＧＣとなる。
【００５８】
ステップＳ１０２では、制御部２０は、いずれかのソースからＭｉｒａｃａｓｔ接続の要求があったか否かを判断する。制御部２０は、ソースからＭｉｒａｃａｓｔ接続の要求があった場合にはステップＳ１０３に処理を移し、要求がなかった場合にはステップＳ１０７に処理を移す。なお、プロジェクター２に対するＭｉｒａｃａｓｔ接続の要求は、例えば、ユーザーがコンピューター１を操作することによって行われる。
【００５９】
ソースからＭｉｒａｃａｓｔ接続の要求があってステップＳ１０３に処理が移行した場合には、制御部２０は、要求を行ったソースとのＭｉｒａｃａｓｔ接続を行う。そして、制御部２０は、このソースから識別情報を取得して接続ソースリスト２１ａに登録する。
【００６０】
ステップＳ１０４では、制御部２０は、接続ソースリスト２１ａを参照し、今回接続したソース以外のソースと既に接続中であるか否かを判断する。制御部２０は、今回接続したソースが最初（１台目）のソースである場合にはステップＳ１０５に処理を移し、既に他のソースと接続中である場合にはステップＳ１０８に処理を移す。
【００６１】
今回接続したソースが最初のソースであってステップＳ１０５に処理が移行した場合には、制御部２０は、今回接続したソースに対して、ＲＴＳＰによりＰＬＡＹメッセージを送信する。ＰＬＡＹメッセージは、画像情報等の送信の開始を指示する制御情報であり、これを受信したソースは、ミラーリングの対象となり、画像情報等の送信を開始する。
【００６２】
ステップＳ１０６では、制御部２０はソースから送信される画像情報等に基づいてミラーリングを開始する。この結果、プロジェクター２は、ソースから送信される画像情報に応じた画像を投写するとともに、ソースから送信される音声情報に応じた音声を出力する。つまり、ステップＳ１０５，Ｓ１０６において、制御部２０は、最初に接続されたソースの表示画像ＩＭ１を画像投写部２５に表示させる。
【００６３】
ステップＳ１０７では、制御部２０は、入力操作部２２の操作等によって、ユーザーからミラーリングの終了が指示されたか否かを判断する。制御部２０は、ミラーリングの終了が指示されていない場合にはステップＳ１０２に処理を戻し、ミラーリングの終了が指示された場合には、必要な終了処理を行ってフローを終了する。
【００６４】
一方、ステップＳ１０４において、既に他のソースと接続中であってステップＳ１０８に処理が移行した場合、即ち今回接続したソースが２台目のソースである場合には、制御部２０は、今回接続したソースに対して、ＲＴＳＰによりＰＡＵＳＥメッセージを送信する。ＰＡＵＳＥメッセージは、画像情報等の送信を抑止する制御情報であり、これを受信したソースは、画像情報等を送信中であればそれを停止し、送信中でなければその状態まま待機する。このようにプロジェクター２に対して２台のソースがＭｉｒａｃａｓｔ接続されると、制御部２０は、ステップＳ１１１（図５参照）に処理を進める。
【００６５】
図５に示すように、ステップＳ１１１では、制御部２０は、ミラーリングの対象のソースから送信される座標情報に基づいて、ポインティングデバイスによる指示位置、即ちポインターＰＴ１の位置が所定の範囲内にあるか否かを判断する。例えば、表示画像ＩＭ１の左上の矩形の範囲（例えば、Ｘ座標、Ｙ座標とも０〜１００画素の範囲）が検出範囲Ｒｄ（図１参照）として予め設定されており、制御部２０は、ポインターＰＴ１の位置がこの検出範囲Ｒｄ内であるか否かを判断する。そして、ポインターＰＴ１の位置が検出範囲Ｒｄ内である場合にはステップＳ１１２に処理を移し、検出範囲Ｒｄ内にない場合にはステップＳ１１４に処理を移す。
【００６６】
ポインターＰＴ１の位置が検出範囲Ｒｄ内であってステップＳ１１２に処理が移行した場合には、制御部２０は、ソースの切り替えを実行する。具体的には、制御部２０は、画像情報等の送信をしているソース、即ちこれまでミラーリングの対象であったソースに対してＲＴＳＰによりＰＡＵＳＥメッセージを送信して、画像情報等の送信を停止させる。次いで、制御部２０は、接続ソースリスト２１ａを参照して、接続順が次のソースを新たなミラーリングの対象に決定し、このソースに対してＲＴＳＰによりＰＬＡＹメッセージを送信する。そして、これを受信したソースは、画像情報等の送信を開始する。なお、接続順が最後のソースのミラーリングをしている際にソースの切り替えを実行する場合には、制御部２０は、接続順が１番のソースを新たなミラーリングの対象とする。
【００６７】
ステップＳ１１３では、制御部２０は、新たにミラーリングの対象となったソースから送信される画像情報等に基づいてミラーリングを開始する。この結果、プロジェクター２は、このソースから送信される画像情報に応じた画像を投写するとともに、このソースから送信される音声情報に応じた音声を出力する。つまり、ステップＳ１１２，Ｓ１１３において、制御部２０は、画像投写部２５に表示させる画像を、それまでミラーリングの対象であったソースの表示画像ＩＭ１から、新たにミラーリングの対象となったソースの表示画像ＩＭ１に切り替える。
【００６８】
ステップＳ１１４では、制御部２０は、他のソース（３台目以降のソース）からＭｉｒａｃａｓｔ接続の要求があったか否かを判断する。制御部２０は、ソースからＭｉｒａｃａｓｔ接続の要求があった場合にはステップＳ１１５に処理を移し、要求がなかった場合にはステップＳ１１７に処理を移す。
【００６９】
他のソースからＭｉｒａｃａｓｔ接続の要求があってステップＳ１１５に処理が移行した場合には、制御部２０は、要求を行ったソースとＭｉｒａｃａｓｔ接続を行う。そして、制御部２０は、このソースから識別情報を取得して接続ソースリスト２１ａに登録する。
【００７０】
次いで、ステップＳ１１６では、制御部２０は、今回接続したソースに対して、ＲＴＳＰによりＰＡＵＳＥメッセージを送信して画像情報等の送信を抑止し、ステップＳ１１７に処理を移す。
【００７１】
そして、ステップＳ１１７では、制御部２０は、ユーザーからミラーリングの終了が指示されたか否かを判断する。制御部２０は、ミラーリングの終了が指示されていない場合にはステップＳ１１１に処理を戻し、ミラーリングの終了が指示された場合には、必要な終了処理を行ってフローを終了する。
【００７２】
以下、本実施形態のプロジェクター２が上記のフローに従って動作する際の具体例について、図１を参照して説明する。
例えば、プロジェクター２が第１のコンピューター１ａのみとＭｉｒａｃａｓｔ接続を行ってミラーリングをしているものとする（ステップＳ１０６）。ここで、プロジェクター２に対して第２のコンピューター１ｂからＭｉｒａｃａｓｔ接続の要求があると（ステップＳ１０２）、プロジェクター２は、第１のコンピューター１ａとのＭｉｒａｃａｓｔ接続を維持したまま、第２のコンピューター１ｂともＭｉｒａｃａｓｔ接続を行い（ステップＳ１０３）、第２のコンピューター１ｂを接続ソースリスト２１ａに登録する。また、プロジェクター２は、第２のコンピューター１ｂに対してＰＡＵＳＥメッセージを送信して画像情報等の送信を抑止し（ステップＳ１０８）、第１のコンピューター１ａのミラーリングを継続する。
【００７３】
ここで、ユーザーが、第１のコンピューター１ａのポインティングデバイス（タッチパッド１７又はマウス１８）を操作して、表示画像ＩＭ１ａ上のポインターＰＴ１ａの位置を検出範囲Ｒｄ内に移動させると（ステップＳ１１１：Ｙｅｓ）、プロジェクター２は、ソースの切り替えを実行する（ステップＳ１１２）。具体的には、プロジェクター２は、現在のミラーリングの対象である第１のコンピューター１ａに対してＰＡＵＳＥメッセージを送信し、画像情報等の送信を停止させる。また、プロジェクター２は、接続ソースリスト２１ａを参照して、第１のコンピューター１ａの次に接続された第２のコンピューター１ｂを次のミラーリングの対象に決定し、第２のコンピューター１ｂに対してＰＬＡＹメッセージを送信する。この結果、第２のコンピューター１ｂから画像情報等の送信が開始され、プロジェクター２は、第２のコンピューター１ｂのミラーリングを開始する（ステップＳ１１３）。これにより、プロジェクター２（画像投写部２５）が表示する画像は、第１のコンピューター１ａの表示画像ＩＭ１ａから、第２のコンピューター１ｂの表示画像ＩＭ１ｂに切り替わる。
【００７４】
その後、ユーザーが、第２のコンピューター１ｂのポインティングデバイス（タッチパッド１７又はマウス１８）を操作して、表示画像ＩＭ１ｂ上のポインターＰＴ１ｂの位置を検出範囲Ｒｄ内に移動させると（ステップＳ１１１：Ｙｅｓ）、プロジェクター２は、その後に新たなソースがＭｉｒａｃａｓｔ接続されていなければ、ミラーリングの対象を第１のコンピューター１ａに戻す。一方、新たなソース（例えば、図示しない第３のコンピューター）がＭｉｒａｃａｓｔ接続されていれば、ミラーリングの対象を新たなソースに切り替える。
【００７５】
なお、この具体例においては、第１のコンピューター１ａが第１の端末装置に相当し、第１のコンピューター１ａの表示画像ＩＭ１ａが第１の画像に相当する。また、第２のコンピューター１ｂが第２の端末装置に相当し、第２のコンピューター１ｂの表示画像ＩＭ１ｂが第２の画像に相当する。
【００７６】
以上説明したように、本実施形態のプロジェクター２及びその制御方法によれば、以下の効果を得ることができる。
【００７７】
（１）本実施形態のプロジェクター２によれば、無線通信部２３は、第１のコンピューター１ａ及び第２のコンピューター１ｂの双方と無線で接続し、これらのコンピューター１の一方から、画像情報と、指示位置の座標情報とを受信する。そして、制御部２０は、受信した座標情報に基づいて、画像投写部２５が表示する画像を切り替えるため、画像の切り替えを容易に行うことが可能となる。さらに、プロジェクター２は、画像の切り替えの際には、既に第１のコンピューター１ａ及び第２のコンピューター１ｂの双方と無線で接続されているため、切り替えの際に新たなコンピューター１に接続し直す場合に比べて、切り替えに要する時間を短縮することが可能となり、ユーザーの利便性が向上する。
【００７８】
（２）本実施形態のプロジェクター２によれば、制御部２０は、無線通信部２３で受信した座標情報に基づいて、画像投写部２５が表示する画像を、例えば、第１のコンピューター１ａの表示画像ＩＭ１ａから第２のコンピューター１ｂの表示画像ＩＭ１ｂに切り替えるため、表示画像ＩＭ１の切り替えを容易に行うことが可能となる。
【００７９】
（３）本実施形態のプロジェクター２によれば、制御部２０は、ソースの切り替えに際して、それまでミラーリングの対象だったソースからの画像情報の送信を停止させるため、不要な通信を抑制することが可能となる。
【００８０】
（４）本実施形態のプロジェクター２によれば、制御部２０は、ソースの切り替えに際して、新たにミラーリングの対象となったソースに対して画像情報の送信を開始させる。つまり、ソースを切り替えるまでは、新たなソースからの画像情報の送信を停止させておくことができるため、不要な通信を抑制することが可能となる。
【００８１】
（５）本実施形態のプロジェクター２によれば、ポインティングデバイスによる指示位置を所定の範囲（検出範囲Ｒｄ）内に移動させた場合にミラーリングの対象となるソースを切り替えるため、画像投写部２５に表示させる画像を容易に切り替えることが可能となる。
【００８２】
（変形例）
また、上記実施形態は、以下のように変更してもよい。
【００８３】
上記実施形態では、ミラーリング中のソースのポインターＰＴ１が検出範囲Ｒｄ内に位置した場合に、プロジェクター２は、接続順が次のソースにミラーリングの対象を切り替えているが、この態様に限定されない。例えば、ポインターＰＴ１が検出範囲Ｒｄ内に位置した場合に、ソースを選択可能な選択画面Ｍｓ（図６参照）をプロジェクター２が表示画像ＩＭ２上に重畳して表示し、次のミラーリングの対象として所望のソースを選択できるようにしてもよい。
【００８４】
具体的には、ポインターＰＴ１が検出範囲Ｒｄ内に位置した場合に、プロジェクター２の制御部２０は、接続ソースリスト２１ａを参照して選択画面Ｍｓを生成する。そして、制御部２０は、画像音声処理部２４に指示をして、この選択画面Ｍｓを表示画像ＩＭ２上に重畳させて、画像投写部２５から投写させる。選択画面Ｍｓには、接続中の複数のソースの識別情報等の一覧が含まれているとともに、現在ミラーリング中のソースについては、ミラーリング中であることが分かるように「表示中」のテキストが付加されている。また、ソースの１つは、背景色が他のソースとは異なっており、そのソースが仮に選択された状態であることを示している。ユーザーは、プロジェクター２の入力操作部２２を操作して、所望のソースを選択し、これを確定させると、制御部２０は、選択が確定されたソースにミラーリングの対象を切り替える。この態様によれば、多くのソースが接続されている状態において、所望のソースのミラーリングをすることが容易になる。
【００８５】
なお、選択画面Ｍｓで所望のソースを選択する際に、プロジェクター２の入力操作部２２を操作する代わりに、ソース（コンピューター１）のポインティングデバイスを用いて選択する態様とすることも可能である。この場合、プロジェクター２の制御部２０は、ミラーリング中のコンピューター１から送信される座標情報に基づいて、ポインティングデバイスの動きを検知し、この動きに応じて選択するソースを切り替える。そして、制御部２０は、１つのソースが選択された状態が所定の時間継続した場合に、選択が確定されたものと判断して、選択が確定されたソースにミラーリングの対象を切り替える。
【００８６】
また、上記実施形態では、プロジェクター２の制御部２０は、ミラーリング中のソースのポインターＰＴ１が検出範囲Ｒｄ内に位置した場合にソースの切り替えを実行していたが、ポインターＰＴ１が検出範囲Ｒｄ内に位置してから所定の時間が経過した場合にソースの切り替えを実行してもよい。この場合には、誤操作等によって意図せずにソースが切り替わってしまうことを抑制することが可能となる。
【００８７】
また、制御部２０は、表示画像ＩＭ１内に複数の検出範囲Ｒｄを予め設定し、ポインターＰＴ１が複数の検出範囲Ｒｄに所定の順序で所定の時間内に位置した場合に、ソースの切り替えを実行してもよい。例えば、制御部２０は、図７に示すように、ポインターＰＴ１が、表示画像ＩＭ１の左上に設定された第１の検出範囲Ｒｄ１内に位置した後、右下に設定された第２の検出範囲Ｒｄ２内に所定の時間内に移動した場合にソースの切り替えを実行する。これ態様によれば、誤操作等によって意図せずにソースが切り替わってしまうことをより一層抑制することが可能となる。
【００８８】
また、ポインターＰＴ１の移動の軌跡が所定の図形である場合に、制御部２０がソースの切り替えを実行してもよい。例えば、制御部２０は、図８に示すように、ポインターＰＴ１が逆三角形の軌跡を描くように移動した場合に、ソースの切り替えを実行する。この場合にも、誤操作等によって意図せずにソースが切り替わってしまうことをより一層抑制することが可能となる。
【００８９】
また、図示は省略するが、制御部２０は、表示画像ＩＭ１内に２つの検出範囲Ｒｄを予め設定し、ポインターＰＴ１が一方の検出範囲Ｒｄ内に位置した場合には、接続順でソースを切り替え、他方の検出範囲Ｒｄ内に位置した場合には、その逆順でソースを切り替えるようにしてもよい。この態様によれば、多くのソースが接続されている状態において、所望のソースのミラーリングをすることが容易になる。
【００９０】
上記実施形態では、予め定められたサイズ（画素数）の範囲を検出範囲Ｒｄとしているが、表示画像ＩＭ１のサイズ（画素数）に応じて検出範囲Ｒｄのサイズ（画素数）を制御部２０が調整するようにしてもよい。この場合、制御部２０は、ミラーリングの開始に先立ってコンピューター１から表示画像ＩＭ１のサイズに関する情報を取得し、取得した情報に基づいて検出範囲Ｒｄのサイズを調整する。例えば、制御部２０は、表示画像ＩＭ１のサイズが１２８０×７２０画素である場合には、検出範囲Ｒｄを１００×１００画素とし、表示画像ＩＭ１のサイズが１９２０×１０８０画素である場合には、検出範囲Ｒｄを１５０×１５０画素とすることにより、表示画像ＩＭ１のサイズに対する検出範囲Ｒｄのサイズを一定の割合にすることができる。この態様によれば、検出範囲Ｒｄのサイズを、表示画像ＩＭ１のサイズに応じた適切なサイズにすることが可能となる。
【００９１】
上記実施形態では、プロジェクター２が１つのソース（例えば、第１のコンピューター１ａ）のミラーリングを行っている状態から、他の１つのソース（例えば、第２のコンピューター１ｂ）のミラーリングを行う状態に切り替える態様について説明したが、複数のソースを同時にミラーリングする状態に切り替えるようにしてもよい。例えば、プロジェクター２が第１のコンピューター１ａのみのミラーリングを行っている状態（図９Ａ参照）で、ポインターＰＴ１が検出範囲Ｒｄ内に位置すると、制御部２０は、第１のコンピューター１ａに画像情報等の送信を継続させたまま、第２のコンピューター１ｂに対して画像情報等の送信を開始させる。そして、制御部２０は、プロジェクター２（画像投写部２５）の表示状態を、第１のコンピューター１ａの表示画像ＩＭ１ａと第２のコンピューター１ｂの表示画像ＩＭ１ｂの両方を１つの表示画像ＩＭ２の中に表示する２画面表示状態に移行させる（図９Ｂ参照）。つまり、この場合に画像投写部２５から投写される表示画像ＩＭ２は、第１のコンピューター１ａの表示画像ＩＭ１ａと第２のコンピューター１ｂの表示画像ＩＭ１ｂの両方を含む画像である。その後、２画面表示状態において、第１のコンピューター１ａ又は第２のコンピューター１ｂのポインターＰＴ１が検出範囲Ｒｄ内に位置すると、制御部２０は、プロジェクター２の表示状態を、第２のコンピューター１ｂのみをミラーリングする状態に切り替える（図９Ｃ参照）。この態様によれば、１つのソースの表示画像ＩＭ１のみを表示する状態から複数のソースの表示画像ＩＭ１を同時に表示する状態への切り替えをも容易に行うことが可能となる。なお、この変形例において、２画面表示状態における表示画像ＩＭ２は、第１の画像（表示画像ＩＭ１ａ）及び第２の画像（表示画像ＩＭ１ｂ）を含む第３の画像に相当する。
【００９２】
上記実施形態では、制御部２０は、ステップＳ１１２，Ｓ１１３でソースの切り替え（表示画像ＩＭ１の切り替え）を行う際に、それまでミラーリングの対象だったソースに対して画像情報の送信を停止させているが、必ずしも画像情報の送信を停止させる必要はない。ただし、不要な通信を抑制するために、ミラーリング（画像の表示）が行われなくなる画像情報については、その送信を停止させることが望ましい。同様に、上記実施形態では、制御部２０は、ステップＳ１１２，Ｓ１１３でソースの切り替えを行う際に、新たにミラーリングの対象になったソースに画像情報の送信を開始させているが、それ以前から（例えば、Ｍｉｒａｃａｓｔ接続を行ったときから）画像情報の送信を開始させておくようにしてもよい。ただし、不要な通信を抑制するために、ミラーリング（画像の表示）が行われるまでは、その送信を開始させないでおくことが望ましい。
【００９３】
上記実施形態では、ステップＳ１０２及びステップＳ１１４において、ソース（コンピューター１）がシンク（プロジェクター２）にＭｉｒａｃａｓｔ接続の要求を行う例を示したが、シンクがソースに要求をして、Ｍｉｒａｃａｓｔ接続を行う態様であってもよい。
【００９４】
上記実施形態では、端末装置としてコンピューター１を採用しているが、端末装置はコンピューター１に限定されず、例えば、スマートフォンやタブレット端末等、他の端末装置であってもよい。また、端末装置にインストールされているＯＳがＭｉｒａｃａｓｔや座標情報の送信に対応していない場合には、これらを実現するアプリケーションプログラムを端末装置にインストールした構成であってもよい。
【００９５】
上記実施形態では、コンピューター１とプロジェクター２とがＭｉｒａｃａｓｔによってミラーリングを行う態様を示したが、ミラーリングを行うための通信規格はＭｉｒａｃａｓｔに限定されず、ＷｉＤｉやＡｉｒＰｌａｙ（登録商標）等、他の通信規格を採用してもよい。
【００９６】
上記実施形態では、画像情報とともに音声情報を送信する態様を示しているが、音声情報の送信については必須ではない。
【００９７】
上記実施形態では、光変調装置として、透過型の液晶ライトバルブ３２Ｒ，３２Ｇ，３２Ｂを用いているが、反射型の液晶ライトバルブ等、反射型の光変調装置を用いることも可能である。また、入射した光の射出方向を、画素としてのマイクロミラー毎に制御することにより、光源３１から射出された光を変調するデジタルミラーデバイス等を用いることもできる。また、色光別に複数の光変調装置を備える構成に限定されず、１つの光変調装置で複数の色光を時分割で変調する構成としてもよい。
【００９８】
上記実施形態では、画像表示装置としてプロジェクター２を採用しているが、画像表示装置はプロジェクター２に限定されず、液晶ディスプレイや有機ＥＬディスプレイ等、他の画像表示装置であってもよい。
【００９９】
上記実施形態では、コンピューター１のポインティングデバイスとして、タッチパッド１７及びマウス１８が用いられているが、トラックボールやジョイスティック等であってもよいし、表示部１２への接触を検知するタッチパネルを採用してもよい。
【符号の説明】
【０１００】
１…コンピューター、１ａ…第１のコンピューター、１ｂ…第２のコンピューター、２…プロジェクター、１０…制御部、１１…記憶部、１２…表示部、１３…表示制御部、１４…画像音声処理部、１５…無線通信部、１６…キーボード、１７…タッチパッド、１８…マウス、２０…制御部、２１…記憶部、２１ａ…接続ソースリスト、２２…入力操作部、２３…無線通信部、２４…画像音声処理部、２５…画像投写部、２６…音声出力部、３１…光源、３２Ｒ，３２Ｇ，３２Ｂ…液晶ライトバルブ、３３…投写レンズ、３４…ライトバルブ駆動部、１００…画像表示システム、ＩＭ１，ＩＭ１ａ，ＩＭ１ｂ，ＩＭ２…表示画像、Ｍｓ…選択画面、ＰＴ１，ＰＴ１ａ，ＰＴ１ｂ，ＰＴ２…ポインター、Ｒｄ…検出範囲、Ｒｄ１…第１の検出範囲、Ｒｄ２…第２の検出範囲、ＳＣ…スクリーン。
【図１】
2019029742.tif 000003
【図２】
2019029742.tif 000004
【図３】
2019029742.tif 000005
【図４】
2019029742.tif 000006
【図５】
2019029742.tif 000007
【図６】
2019029742.tif 000008
【図７】
2019029742.tif 000009
【図８】
2019029742.tif 000010
【図９Ａ】
2019029742.tif 000011
【図９Ｂ】
2019029742.tif 000012
【図９Ｃ】
2019029742.tif 000013